(57)【要約】【課題】複数のオペレータによる使用時に、処理された紙幣の管理責任を明確にするとともに、紙幣処理を効率良く行う。【解決手段】紙幣処理システムは、識別部１０５により識別された紙幣を集積する第１集積部１１１〜１１５及び第２集積部１２１、１２２と、第１集積部１１１〜１１５に集積された紙幣を結束する結束部２００と、オペレータの識別情報が入力される入力部１１と、識別部１０５による計数結果及び入力部１１を介して入力された識別情報に基づいてオペレータの在高を更新して管理する管理部２０と、を備える。管理部２０は、複数のオペレータの在高を管理し、第１集積部１１１〜１１５及び第２集積部１２１、１２２に集積された紙幣の計数結果を用いて、複数のオペレータのうち少なくともいずれか１人の在高を更新する。【選択図】図１
2014002587.tif 000002
【特許請求の範囲】
【請求項１】
投入された紙幣を１枚ずつ取り込む受入部と、
前記受入部により取り込まれた紙幣の識別計数を行う識別部と、
前記識別部により識別された紙幣を集積する第１集積部及び第２集積部と、
前記受入部と前記第１集積部及び前記第２集積部との間において紙幣を搬送する第１搬送部と、
前記第１集積部に集積された紙幣を結束する結束部と、
オペレータの識別情報が入力される入力部と、
前記識別部による計数結果及び前記入力部を介して入力された識別情報に基づいてオペレータの在高を更新して管理する管理部と、
を備え、
前記管理部は、複数のオペレータの在高を管理し、前記第１集積部及び前記第２集積部に集積された紙幣の計数結果を用いて、前記複数のオペレータのうち少なくともいずれか１人の在高を更新することを特徴とする紙幣処理システム。
【請求項２】
前記管理部は、前記識別情報が第１オペレータを示す場合、前記第１集積部及び前記第２集積部に集積された紙幣の計数結果を前記第１オペレータの在高に加算することを特徴とする請求項１に記載の紙幣処理システム。
【請求項３】
前記管理部は、前記識別情報が第１オペレータを示す場合、前記第１集積部及び前記第２集積部に集積された紙幣のうち、所定条件を満たす紙幣の計数結果を第２オペレータの在高に加算し、前記所定条件を満たさない紙幣の計数結果を前記第１オペレータの在高に加算することを特徴とする請求項１に記載の紙幣処理システム。
【請求項４】
前記管理部は、前記第１集積部に集積された紙幣のうち、前記結束部により結束された紙幣の計数結果を第２オペレータの在高に加算することを特徴とする請求項３に記載の紙幣処理システム。
【請求項５】
前記管理部は、前記第２集積部に集積された紙幣の計数結果を前記第１オペレータの在高に加算することを特徴とする請求項４に記載の紙幣処理システム。
【請求項６】
前記管理部は、前記第１集積部に集積された紙幣のうち、前記結束部により結束されず、前記第１集積部に残存している紙幣の計数結果を前記第２オペレータの在高に加算することを特徴とする請求項４又は５に記載の紙幣処理システム。
【請求項７】
前記識別情報が第１オペレータを示し、かつ前記管理部が前記第２オペレータの在高を更新する場合に、前記第２オペレータの在高に加算される紙幣の情報を出力する出力部をさらに備えることを特徴とする請求項３乃至６のいずれかに記載の紙幣処理システム。
【請求項８】
前記第２オペレータから、前記第２オペレータの在高更新の承認を受け付ける承認受付部をさらに備えることを特徴とする請求項７に記載の紙幣処理システム。
【請求項９】
投入された紙幣を１枚ずつ取り込む受入部と、
前記受入部により取り込まれた紙幣の識別計数を行う識別部と、
前記識別部により識別された紙幣を集積する第１集積部および第２集積部と、
前記受入部と前記第１集積部及び前記第２集積部との間において紙幣を搬送する第１搬送部と、
前記第１集積部に集積された紙幣を結束する結束部と、
オペレータの識別情報が入力される入力部と、
少なくとも前記入力部に入力された識別情報に基づき、前記搬送部による前記第１集積部への紙幣の搬送を制御する制御部と、
を備える紙幣処理装置。
【請求項１０】
前記制御部は、前記識別情報が第１オペレータを示す場合は、前記識別部により識別された紙幣を前記第１集積部へ搬送することを禁止するように前記第１搬送部を制御することを特徴とする請求項９に記載の紙幣処理装置。
【請求項１１】
前記制御部は、
前記識別情報が第１オペレータを示し、かつ前記第１集積部に端数紙幣が残存していない場合は、前記識別部により識別された紙幣を前記第１集積部へ搬送することを許可するように前記第１搬送部を制御するとともに、
前記識別情報が前記第１オペレータを示し、かつ前記第１集積部に端数紙幣が残存している場合は、前記識別部により識別された紙幣を前記第１集積部へ搬送することを禁止するように前記第１搬送部を制御することを特徴とする請求項９に記載の紙幣処理装置。
【請求項１２】
前記結束部で結束されなかった端数紙幣を返却する端数紙幣返却部と、
前記端数紙幣を前記端数紙幣返却部へ搬送する第２搬送部を有し、
前記制御部は、
前記第１オペレータの処理終了時に前記第１集積部に残存する端数紙幣を除去する端数紙幣除去処理を実行することを特徴とする請求項１１に記載の紙幣処理装置。
【請求項１３】
前記制御部は、
前記識別情報が第１オペレータを示し、かつ前記第１集積部に残存している端数紙幣が前記第１オペレータにより投入された紙幣である場合は、前記識別部により識別された紙幣を前記第１集積部へ搬送することを許可するように前記第１搬送部を制御することを特徴とする請求項９に記載の紙幣処理装置。
【請求項１４】
前記結束部で結束されなかった端数紙幣を返却する端数紙幣返却部と、
前記端数紙幣を前記端数紙幣返却部へ搬送する第２搬送部を有し、
前記制御部は、
前記第１オペレータの処理の処理が完了したときに前記第１集積部に端数紙幣が残存している場合は、端数紙幣を前記端数紙幣返却部へ搬送するように前記第２搬送部を制御することを特徴とする請求項１３に記載の紙幣処理装置。
【請求項１５】
前記制御部は、
前記識別情報が前記第２オペレータを示し、かつ前記第１集積部に残存している端数紙幣が前記第１オペレータにより投入された紙幣である場合は、前記識別部により識別された紙幣を前記第１集積部へ搬送することを禁止するように前記第１搬送部を制御することを特徴とする請求項９に記載の紙幣処理装置。
【発明の詳細な説明】
【技術分野】
【０００１】
本発明は、紙幣処理装置及び紙幣処理システムに関する。
【背景技術】
【０００２】
銀行等の金融機関では、紙幣を一定枚数毎に束ねて整理する紙幣処理装置が用いられている。この紙幣処理装置では、例えば複数金種の紙幣が正損混合状態で投入されると、これらの紙幣が１枚ずつ取り込まれて識別され、金種別、正損別に分類されて、それぞれ対応する集積部に集積される。そして、集積部内の紙幣が一定枚数（例えば１００枚）に達すると、この紙幣束は束搬送部により結束手段へ搬送され、紙テープ等の結束材により束ねられて投出される。集積部内の一定枚数に達しない端数紙幣は、束搬送部により端数紙幣返却口に搬送して返却したり、集積部に残置したりすることができる（例えば特許文献１参照）。
【０００３】
このような紙幣処理装置を複数のオペレータが銀行窓口の入金機として使用することが望まれている。例えば、オペレータＡが紙幣を投入し、紙幣の分類、結束を行った後、集積部に端数紙幣を残置させる。その後、別のオペレータＢが紙幣を投入すると、集積部内に残置されていたオペレータＡの紙幣と、オペレータＢの投入紙幣とが混合する。また、集積部内の紙幣が一定枚数に達すると、結束手段により結束されるが、結束紙幣束にはオペレータＡの紙幣とオペレータＢの紙幣とが混在することになる。このように紙幣処理装置を複数のオペレータが使用する場合、集積部内の紙幣や、結束された紙幣が、どのオペレータに管理責任があるのか不明確になるという問題があった。
【０００４】
集積部に紙幣を残置させずに、紙幣処理の都度、端数紙幣を返却することで上述した問題を避けることができるが、これは紙幣処理の効率低下をもたらしていた。
【先行技術文献】
【特許文献】
【０００５】
【特許文献１】特開２０１１−７０４９４号公報
【発明の概要】
【発明が解決しようとする課題】
【０００６】
本発明はこのような点を考慮してなされたものであり、複数のオペレータによる使用時に、処理された紙幣の管理責任を明確にするとともに、紙幣処理を効率良く行うことができる紙幣処理装置及び紙幣処理システムを提供することを目的とする。
【課題を解決するための手段】
【０００７】
本発明の一態様による紙幣処理システムは、投入された紙幣を１枚ずつ取り込む受入部と、前記受入部により取り込まれた紙幣の識別計数を行う識別部と、前記識別部により識別された紙幣を集積する第１集積部及び第２集積部と、前記受入部と前記第１集積部及び前記第２集積部との間において紙幣を搬送する第１搬送部と、前記第１集積部に集積された紙幣を結束する結束部と、オペレータの識別情報が入力される入力部と、前記識別部による計数結果及び前記入力部を介して入力された識別情報に基づいてオペレータの在高を更新して管理する管理部と、を備え、前記管理部は、複数のオペレータの在高を管理し、前記第１集積部及び前記第２集積部に集積された紙幣の計数結果を用いて、前記複数のオペレータのうち少なくともいずれか１人の在高を更新することを特徴とする。
【０００８】
本発明の一態様による紙幣処理システムにおいて、前記管理部は、前記識別情報が第１オペレータを示す場合、前記第１集積部及び前記第２集積部に集積された紙幣の計数結果を前記第１オペレータの在高に加算することを特徴とする。
【０００９】
本発明の一態様による紙幣処理システムにおいて、前記管理部は、前記識別情報が第１オペレータを示す場合、前記第１集積部及び前記第２集積部に集積された紙幣のうち、所定条件を満たす紙幣の計数結果を第２オペレータの在高に加算し、前記所定条件を満たさない紙幣の計数結果を前記第１オペレータの在高に加算することを特徴とする。
【００１０】
本発明の一態様による紙幣処理システムにおいて、前記管理部は、前記第１集積部に集積された紙幣のうち、前記結束部により結束された紙幣の計数結果を第２オペレータの在高に加算することを特徴とする。
【００１１】
本発明の一態様による紙幣処理システムにおいて、前記管理部は、前記第２集積部に集積された紙幣の計数結果を前記第１オペレータの在高に加算することを特徴とする。
【００１２】
本発明の一態様による紙幣処理システムは、前記管理部は、前記第１集積部に集積された紙幣のうち、前記結束部により結束されず、前記第１集積部に残存している紙幣の計数結果を前記第２オペレータの在高に加算することを特徴とする。
【００１３】
本発明の一態様による紙幣処理システムは、前記識別情報が第１オペレータを示し、かつ前記管理部が前記第２オペレータの在高を更新する場合に、前記第２オペレータの在高に加算される紙幣の情報を出力する出力部をさらに備えることを特徴とする。
【００１４】
本発明の一態様による紙幣処理システムは、前記第２オペレータから、前記第２オペレータの在高更新の承認を受け付ける承認受付部をさらに備えることを特徴とする。
【００１５】
本発明の一態様による紙幣処理装置は、投入された紙幣を１枚ずつ取り込む受入部と、前記受入部により取り込まれた紙幣の識別計数を行う識別部と、前記識別部により識別された紙幣を集積する第１集積部および第２集積部と、前記受入部と前記第１集積部及び前記第２集積部との間において紙幣を搬送する第１搬送部と、前記第１集積部に集積された紙幣を結束する結束部と、オペレータの識別情報が入力される入力部と、少なくとも前記入力部に入力された識別情報に基づき、前記搬送部による前記第１集積部への紙幣の搬送を制御する制御部と、を備えるものである。
【００１６】
本発明の一態様による紙幣処理装置において、前記制御部は、前記識別情報が第１オペレータを示す場合は、前記識別部により識別された紙幣を前記第１集積部へ搬送することを禁止するように前記第１搬送部を制御することを特徴とする。
【００１７】
本発明の一態様による紙幣処理装置において、前記制御部は、前記識別情報が第１オペレータを示し、かつ前記第１集積部に端数紙幣が残存していない場合は、前記識別部により識別された紙幣を前記第１集積部へ搬送することを許可するように前記第１搬送部を制御するとともに、前記識別情報が前記第１オペレータを示し、かつ前記第１集積部に端数紙幣が残存している場合は、前記識別部により識別された紙幣を前記第１集積部へ搬送することを禁止するように前記第１搬送部を制御することを特徴とする。
【００１８】
本発明の一態様による紙幣処理装置は、前記結束部で結束されなかった端数紙幣を返却する端数紙幣返却部と、前記端数紙幣を前記端数紙幣返却部へ搬送する第２搬送部を有し、前記制御部は、前記第１オペレータの処理終了時に前記第１集積部に残存する端数紙幣を除去する端数紙幣除去処理を実行することを特徴とする。
【００１９】
本発明の一態様による紙幣処理装置において、前記制御部は、前記識別情報が第１オペレータを示し、かつ前記第１集積部に残存している端数紙幣が前記第１オペレータにより投入された紙幣である場合は、前記識別部により識別された紙幣を前記第１集積部へ搬送することを許可するように前記第１搬送部を制御することを特徴とする。
【００２０】
本発明の一態様による紙幣処理装置は、前記結束部で結束されなかった端数紙幣を返却する端数紙幣返却部と、前記端数紙幣を前記端数紙幣返却部へ搬送する第２搬送部を有し、前記制御部は、前記第１オペレータの処理の処理が完了したときに前記第１集積部に端数紙幣が残存している場合は、端数紙幣を前記端数紙幣返却部へ搬送するように前記第２搬送部を制御することを特徴とする。
【００２１】
本発明の一態様による紙幣処理装置において、前記制御部は、前記識別情報が前記第２オペレータを示し、かつ前記第１集積部に残存している端数紙幣が前記第１オペレータにより投入された紙幣である場合は、前記識別部により識別された紙幣を前記第１集積部へ搬送することを禁止するように前記第１搬送部を制御することを特徴とする。
【発明の効果】
【００２２】
本発明によれば、複数のオペレータによる使用時に、処理された紙幣の管理責任を明確にするとともに、紙幣処理を効率良く行うことができる。
【図面の簡単な説明】
【００２３】
【図１】第１の実施形態に係る紙幣処理システムの概略構成図である。
【図２】第１の実施形態に係る紙幣処理装置の縦断面図である。
【図３】紙幣処理の一例を示す図である。
【図４】紙幣処理の一例を示す図である。
【図５】第５の実施形態に係る紙幣処理システムのブロック構成図である。
【図６】第５の実施形態の変形例による紙幣処理システムのブロック構成図である。
【発明を実施するための形態】
【００２４】
以下、本発明の実施の形態を図面に基づいて説明する。
【００２５】
（第１の実施形態）図１は本発明の第１の実施形態に係る紙幣処理システムの概略構成を示している。図１に示すように、紙幣処理システムは、紙幣の識別・計数を行うとともに紙幣を所定枚数毎に結束する紙幣処理装置１０と、紙幣処理装置１０と通信可能に接続され、紙幣処理装置１０を使用する複数のオペレータの在高を管理する管理部（管理装置）２０とを備えている。ここで、オペレータの在高とは、各オペレータの手元にあるべき紙幣、又は各オペレータが管理責任を有する紙幣の合計をいう。
【００２６】
図２は、紙幣処理装置１０の内部構成を模式的に示す縦断面図である。紙幣処理装置１０は、最上部に操作表示部１１を有し、主として前面上部の分類集積部１００、前面下部の紙幣結束部２００、背面の搬送部３００から構成されている。また、紙幣処理装置１０は、分類集積部１００、紙幣結束部２００、搬送部３００の制御を行う制御部１２を備える。
【００２７】
まず、分類集積部１００について説明する。分類集積部１００の前面のほぼ中央部に処理すべき紙幣を受け入れる受入部１０１が設けられ、ここに投入された金種の混合された紙幣は繰り出しローラ１０２、１０３により繰り出され、搬送部１０４により搬送される。
【００２８】
搬送部１０４には識別部１０５が設けられ、ここで金種、正損、表裏等の種別、及び真偽が識別される。また、識別部１０５は種別毎の枚数を計数し、計数結果が操作表示部１１に表示される。搬送部１０４は識別部１０５の先で分岐しており、識別部１０５による識別結果に応じて、識別不能券、偽券等はリジェクト紙幣としてリジェクト部１０６に集積される。
【００２９】
一方、リジェクト紙幣以外の結束対象紙幣は、識別部１０５による表裏判定結果に応じて、表裏反転部１０７においてすべての紙幣の表裏面が一致するように表裏反転され、さらに識別部１０５により判定された金種等に基づいて結束対象紙幣を集積する集積部（第１集積部）１１１〜１１５のいずれかに集積される。
【００３０】
集積部１１１〜１１５はそれぞれ集積用のステージ１１１ａ〜１１５ａを有しており、これらは図示しない駆動手段で昇降可能とされている。
【００３１】
図２においては、各集積部１１１〜１１５は集積可能な状態として図示されている。すなわち、上側約２／３に設けられた壁部材１１１ｂ〜１１５ｂの下端位置にステージ１１１ａ〜１１５ａが位置しているため、搬送された紙幣は壁部材１１１ｂ〜１１５ｂに当たって停止し、集積される。この際、紙幣の飛び出しを防止し、安定な集積を可能とするために、集積量に応じて回動可能な押さえ板１１１ｃ〜１１５ｃが設けられている。
【００３２】
なお、ステージ１１１ａ〜１１５ａ及び壁部材１１１ｂ〜１１５ｂには後述する搬送部３００のハンド３１３、３１４が自由に通過できる切り欠きが形成されている。
【００３３】
集積対象外の紙幣は搬送部１０４により外部スタッカ（第２集積部）１２１及び１２２へ搬送され、集積される。
【００３４】
これらの集積部１１１〜１１５、外部スタッカ１２１及び１２２に対して集積すべき対象を種々設定することができ、様々な処理が可能となる。設定内容は操作表示部（入力部）１１を介して入力することができる。また、紙幣処理装置１０を使用するにあたり、使用するオペレータの登録を必要とし、操作表示部１１を介して、オペレータのＩＤ情報が入力できるようになっている。テンキー入力やカード情報の読み取り等により、ＩＤ情報を入力することができる。入力されたＩＤ情報は、処理の終了が入力されるまで、または別のオペレータのＩＤ情報が新たに入力されるまで有効となる。
【００３５】
操作表示部１１の下方には、集積部１１１〜１１５に集積された紙幣のうち、結束枚数に達しなかった端数紙幣を返却できる端数紙幣返却部１３０が設けられている。端数紙幣は後述する搬送部３００により端数紙幣返却部１３０の返却トレイ１３１へ搬送される。返却トレイ１３１の下面に設けられた突き当て部材１３２の先端部１３２ａが背面より押されることにより返却トレイ１３１が前進し、前面に設けられたシャッター１３３が開いて、返却トレイ１３１が一点鎖線で示された位置まで進むことで、返却トレイ１３１内の端数紙幣を取り出すことができる。
【００３６】
集積部１１１〜１１５に集積された端数紙幣を端数紙幣返却部１３０から返却するか、又は残存させておくかは、操作表示部１１を介した紙幣処理モードの設定により決まる。紙幣処理モードについては後述する。
【００３７】
続いて、紙幣結束部２００について説明する。紙幣結束部２００では、集積された紙幣に紙の帯が巻回され、帯封が行われる。
【００３８】
集積部１１１〜１１５に集積された紙幣は所定枚数に達すると、後述する搬送部３００により紙幣結束部２００のセット部２０１へ搬送され、狭持される。
【００３９】
狭持された紙幣の所定箇所に帯封テープを巻回させるための回転機構２０２が設けられ、帯封テープ集積部２０３より取り出された帯封テープ２０４の先端をテープ止め２０５で止め、回転させることにより結束紙幣を得るようになっている。
【００４０】
また、結束後、テープの先端を切るためのカッタ２０６及びその先端部を熱接着するためのヒータ２０７も設けられている。
【００４１】
帯封された結束紙幣はベルト式の搬送機構２０８で結束紙幣投出口２０９に投出されるが、搬送途中には処理を行った金融機関印を帯封上に押印する行名スタンプ部２１０、損券であることを帯封上に押印する損券スタンプ部２１１が設けられている。帯封テープ２０４の繰り出し部には、処理日付、処理時刻、号機番号、担当者のＩＤ情報などを印字する印字部２１２が設けられている。
【００４２】
続いて、搬送部３００について説明する。搬送部３００は、垂直に設置されたガイド軸３０１、ガイド軸３０１に係合しつつ上下移動可能な昇降ユニット３１０、昇降ユニット３１０を昇降させるための駆動ベルト３０２を有する。
【００４３】
昇降ユニット３１０は、ベルト機構３１１による前進後退可能なブロック３１２を有しており、このブロック３１２は、固定の下ハンド３１３と、ベルト３１６により軸３１５に沿って上下移動する上ハンド３１４とを有している。ハンド３１３、３１４は、集積部１１１〜１１５に集積された紙幣を挟んで取り出し、取り出された紙幣は紙幣結束部２００又は端数紙幣返却部１３０へ搬送される。
【００４４】
制御部１２は、識別部１０５による識別計数結果、集積部１１１〜１１５に集積されている紙幣枚数、紙幣処理モードの設定等に応じて搬送部１０４及び搬送部３００の制御を行う。また、制御部１２は、投入された紙幣の識別計数結果と、操作表示部１１を介して入力されたオペレータのＩＤ情報とを、図示しない通信部を介して、管理部２０へ送信する。
【００４５】
また、制御部１２は、投入された紙幣の計数結果を、集積部１１１〜１１５に集積された紙幣、集積部１１１〜１１５に集積された後に紙幣結束部２００で結束された紙幣、集積部１１１〜１１５に集積された後に端数紙幣返却部１３０から返却された紙幣、外部スタッカ１２１、１２２に集積された紙幣などに分類し、各分類の計数結果を、図示しない通信部を介して、管理部２０へ送信することができる。
【００４６】
管理部２０は、紙幣処理装置１０から通知されたオペレータのＩＤ情報及び計数結果を用いて、各オペレータの在高を更新して管理する。
【００４７】
次に、紙幣処理装置１０に設定可能な３つの紙幣処理モードについて説明する。紙幣処理装置１０では、「計数モード」、「帯封・返却モード」、「帯封・残置モード」の３つの紙幣処理モードを設定することができる。
【００４８】
まず、「計数モード」について説明する。計数モードでは、紙幣処理装置１０に投入された紙幣は、全て外部スタッカ１２１、１２２へ搬送され、集積される。すなわち、計数モードでは、紙幣処理装置１０の結束機能は使用されず、紙幣の計数のみ行われる。２つの外部スタッカ１２１、１２２を使用した分類集積をさらに行ってもよい。なお、リジェクト紙幣はリジェクト部１０６に集積される。このことは、「帯封・返却モード」、「帯封・残置モード」においても同様である。
【００４９】
次に、「帯封・返却モード」について説明する。帯封・返却モードでは、紙幣処理装置１０に投入された紙幣のうち、結束対象紙幣が集積部１１１〜１１５に搬送され、結束対象外紙幣が外部スタッカ１２１、１２２へ搬送される。集積部１１１〜１１５の集積枚数が所定枚数に達すると、所定枚数の紙幣が搬送部３００により紙幣結束部２００へ搬送され、結束して投出される。受入部１０１に投入された紙幣が全て取り込まれた後、集積部１１１〜１１５内の所定枚数に達しなかった端数紙幣は、搬送部３００により端数紙幣返却部１３０へ搬送されて返却される。このように、帯封・返却モードでは、紙幣の結束を行いつつ、端数紙幣を残置させずに返却する。
【００５０】
次に、「帯封・残置モード」について説明する。帯封・残置モードでは、紙幣処理装置１０に投入された紙幣のうち、結束対象紙幣が集積部１１１〜１１５に搬送され、結束対象外紙幣が外部スタッカ１２１、１２２へ搬送される。集積部１１１〜１１５の集積枚数が所定枚数に達すると、所定枚数の紙幣が搬送部３００により紙幣結束部２００へ搬送され、結束して投出される。受入部１０１に投入された紙幣が全て取り込まれた後、集積部１１１〜１１５内の所定枚数に達しなかった端数紙幣は、集積部１１１〜１１５に残される。このように、帯封・残置モードでは、紙幣の結束を行いつつ、端数紙幣を返却せずに残置させる。
【００５１】
本実施形態では、「計数モード」、「帯封・返却モード」、「帯封・残置モード」の利用可否をオペレータ毎に設定することができる。言い換えれば、オペレータ毎に利用可能な紙幣処理モードを制限することができる。
【００５２】
例えば、一般テラーであるオペレータＡ（第１オペレータ）と、出納権限のあるオペレータＢ（第２オペレータ）とが紙幣処理装置１０を共用する場合、表１に示すパターン１のように紙幣処理モードの利用可否を設定できる。表１において、○は利用可、×は利用不可を示している。
【表１】
2014002587.tif 000003
【００５３】
パターン１では、オペレータＡは計数モードのみを利用することができ、帯封を伴うモードの利用は禁止されている。制御部１２は、入力部（操作表示部１１）に入力されたオペレータの識別情報が一般テラーであるオペレータＡ（第１オペレータ）を示す場合は、取り込まれた紙幣を集積部（第１集積部）１１１〜１１５へ搬送することを禁止する。そして、制御部１２は、紙幣の識別結果により、外部スタッカ（第２集積部）１２１及び１２２またはリジェクト部１０６へ紙幣を搬送するよう搬送部１０４を制御する。一方、オペレータＢは、計数モード、帯封・返却モード、帯封・残置モードの全てを利用することができる。制御部１２は、入力部（操作表示部１１）に入力されたオペレータの識別情報が出納権限のあるオペレータＢ（第２オペレータ）を示す場合は、取り込まれた紙幣を集積部（第１集積部）１１１〜１１５へ搬送することを許可する。そして、制御部１２は、紙幣の識別結果により、集積部（第１集積部）１１１〜１１５、外部スタッカ（第２集積部）１２１及び１２２、リジェクト部１０６のいずれかへ紙幣を搬送するよう搬送部１０４を制御する。
【００５４】
オペレータＡは、自身のＩＤ情報の入力後、計数モードで紙幣処理を行う。オペレータＡは、外部スタッカ１２１、１２２またはリジェクト部１０６へ搬送された紙幣を手元で管理する。制御部１２は、投入された紙幣の計数結果と、オペレータＡのＩＤ情報とを、管理部２０へ送信する。管理部２０は、紙幣処理装置１０から受信した計数結果をオペレータＡの在高に加算する。
【００５５】
オペレータＢは、自身のＩＤ情報の入力後、計数モード、帯封・返却モード、帯封・残置モードのいずれかで紙幣処理を行う。制御部１２は、投入された紙幣の計数結果と、オペレータＢのＩＤ情報とを、管理部２０へ送信する。管理部２０は、紙幣処理装置１０から受信した計数結果をオペレータＢの在高に加算する。
【００５６】
パターン１では、オペレータＡが計数モードのみ利用可能であるため、オペレータＢが帯封・残置モードで紙幣処理を行い、集積部１１１〜１１５に端数紙幣を残しておいても、オペレータＡの投入紙幣とオペレータＢの投入紙幣とが集積部１１１〜１１５内で混合することがない。そのため、紙幣の管理責任を明確にすることができる。
【００５７】
表２は、一般テラーであるオペレータＡと、出納権限のあるオペレータＢとが紙幣処理装置１０を共用する場合における、紙幣処理モードの利用可否設定の別のパターンを示している。
【表２】
2014002587.tif 000004
【００５８】
パターン２では、機内（集積部１１１〜１１５内）に端数紙幣が残っているか否かで、オペレータＡの利用できる紙幣処理モードが異なる。機内に端数紙幣が残っていない場合、オペレータＡは、計数モード又は帯封・返却モードを利用することができる。制御部１２は、入力部（操作表示部１１）に入力されたオペレータの識別情報が一般テラーであるオペレータＡ（第１オペレータ）であって、集積部（第１集積部）１１１〜１１５に前の利用者の端数紙幣が残存していない場合は、取り込まれた紙幣を集積部（第１集積部）１１１〜１１５へ搬送することを許可する。そして、制御部１２は、紙幣の識別結果により、集積部（第１集積部）１１１〜１１５、外部スタッカ（第２集積部）１２１及び１２２、リジェクト部１０６のいずれかへ紙幣を搬送するよう搬送部１０４を制御する。さらに、制御部１２は、オペレータＡによる今回の処理の終了時に、集積部（第１集積部）１１１〜１１５に端数紙幣がある場合は端数紙幣除去処理を実行する。制御部１２は、端数紙幣除去処理として、集積部（第１集積部）１１１〜１１５の端数紙幣を端数紙幣返却部１３０に搬送するよう搬送部３００を制御する。一方、機内に端数紙幣が残っている場合、オペレータＡは、計数モードのみ利用することができる。この場合の制御部１２による搬送部１０４の制御は、パターン１と同じである。
【００５９】
オペレータＢは、機内に端数紙幣が残っているか否かにかかわらず、計数モード、帯封・返却モード、帯封・残置モードの全てを利用することができる。この場合の制御部１２による搬送部１０４の制御は、パターン１と同じである。
【００６０】
つまり、オペレータＡは、オペレータＢを含む他のオペレータの投入した端数紙幣が集積部１１１〜１１５内に残っていない場合に、帯封・返却モードで紙幣処理を行うことができるが、帯封されなかった端数紙幣を機内に残置して処理を終了することはできない。
【００６１】
オペレータＡが計数モードで紙幣処理を行う場合、オペレータＡは、外部スタッカ１２１、１２２へ搬送された紙幣を手元で管理する。制御部１２は、投入された紙幣の計数結果と、オペレータＡのＩＤ情報とを、管理部２０へ送信する。管理部２０は、紙幣処理装置１０から受信した計数結果をオペレータＡの在高に加算する。
【００６２】
オペレータＡが帯封・返却モードで紙幣処理を行う場合、外部スタッカ１２１、１２２へ搬送された紙幣、及び端数紙幣返却部１３０から返却された紙幣は、オペレータＡの手元で管理される。一方、紙幣結束部２００で結束された紙幣は、オペレータＡが管理してもよいし、出納権限のあるオペレータＢが管理してもよい。
【００６３】
結束紙幣をオペレータＡが管理する場合、制御部１２は、投入された紙幣の計数結果と、オペレータＡのＩＤ情報とを、管理部２０へ送信し、管理部２０は、紙幣処理装置１０から受信した計数結果をオペレータＡの在高に加算する。
【００６４】
結束紙幣をオペレータＢが管理する場合、制御部１２は、集積部１１１〜１１５に集積された後に端数紙幣返却部１３０から返却された紙幣及び外部スタッカ１２１、１２２に集積された紙幣の計数結果の合計をオペレータＡのＩＤ情報と紐付けて管理部２０へ送信し、集積部１１１〜１１５に集積された後に紙幣結束部２００で結束された紙幣の計数結果をオペレータＢのＩＤ情報と紐付けて管理部２０へ送信する。管理部２０は、オペレータＡのＩＤ情報と紐付けられた計数結果をオペレータＡの在高に加算し、オペレータＢのＩＤ情報と紐付けられた計数結果をオペレータＢの在高に加算する。
【００６５】
オペレータＢは、自身のＩＤ情報の入力後、計数モード、帯封・返却モード、帯封・残置モードのいずれかで紙幣処理を行う。制御部１２は、投入された紙幣の計数結果と、オペレータＢのＩＤ情報とを、管理部２０へ送信する。管理部２０は、紙幣処理装置１０から受信した計数結果をオペレータＢの在高に加算する。
【００６６】
パターン２では、オペレータＢを含む他のオペレータの端数紙幣が機内に残っている場合、オペレータＡは計数モードのみ利用でき、オペレータＡの投入紙幣は集積部１１１〜１１５へは搬送されない。従って、他のオペレータが帯封・残置モードで紙幣処理を行い、集積部１１１〜１１５に端数紙幣を残しておいても、オペレータＡの投入紙幣と他のオペレータの投入紙幣とが集積部１１１〜１１５内で混合することがない。そのため、紙幣の管理責任を明確にすることができる。また、オペレータＡの投入紙幣のうち、結束された紙幣を、出納権限のあるオペレータＢが管理する場合、オペレータＢの在高に加算することができるため、各オペレータが管理責任を有する紙幣と、管理部２０が管理する在高とを一致させることができる。
【００６７】
表３は、一般テラーであるオペレータＡと、出納権限のあるオペレータＢとが紙幣処理装置１０を共用する場合における、紙幣処理モードの利用可否設定のさらに別のパターンを示している。
【表３】
2014002587.tif 000005
【００６８】
パターン３では、機内（集積部１１１〜１１５内）に他人の端数紙幣が残っているか否かで、オペレータＡ、Ｂの利用できる紙幣処理モードが異なる。オペレータＡは、機内にオペレータＢを含む他のオペレータの端数紙幣が残っていない場合、言い換えれば機内に何も端数紙幣が残っていないか、又はオペレータＡ自身の端数紙幣が残っている場合は、計数モード、帯封・返却モード、帯封・残置モードの全てを利用することができる。このとき、制御部１２は、取り込まれた紙幣を集積部（第１集積部）１１１〜１１５へ搬送することを許可する。そして、制御部１２は、紙幣の識別結果により、集積部（第１集積部）１１１〜１１５、外部スタッカ（第２集積部）１２１及び１２２、リジェクト部１０６のいずれかへ紙幣を搬送するよう搬送部１０４を制御する。また、オペレータＡは、機内に他のオペレータの端数紙幣が残っている場合、計数モードのみ利用することができる。この場合の制御部１２による搬送部１０４の制御は、パターン１と同じである。
【００６９】
同様に、オペレータＢは、機内にオペレータＡを含む他のオペレータの端数紙幣が残っていない場合、言い換えれば機内に何も端数紙幣が残っていないか、又はオペレータＢ自身の端数紙幣が残っている場合は、計数モード、帯封・返却モード、帯封・残置モードの全てを利用することができる。また、オペレータＢは、機内に他のオペレータの端数紙幣が残っている場合、計数モードのみ利用することができる。この場合の制御部１２による搬送部１０４の制御は、パターン３のオペレータＡに対する制御と同じである。
【００７０】
オペレータＡが計数モード、帯封・返却モード、又は帯封・残置モードで紙幣処理を行う場合、制御部１２は、投入された紙幣の計数結果と、オペレータＡのＩＤ情報とを、管理部２０へ送信する。管理部２０は、紙幣処理装置１０から受信した計数結果をオペレータＡの在高に加算する。外部スタッカ１２１、１２２へ搬送された紙幣、紙幣結束部２００で結束されて投出された紙幣、端数紙幣返却部１３０から返却された紙幣はオペレータＡ自身が管理する。
【００７１】
オペレータＢが計数モード、帯封・返却モード、又は帯封・残置モードで紙幣処理を行う場合、制御部１２は、投入された紙幣の計数結果と、オペレータＢのＩＤ情報とを、管理部２０へ送信する。管理部２０は、紙幣処理装置１０から受信した計数結果をオペレータＢの在高に加算する。外部スタッカ１２１、１２２へ搬送された紙幣、紙幣結束部２００で結束されて投出された紙幣、端数紙幣返却部１３０から返却された紙幣はオペレータＢ自身が管理する。
【００７２】
パターン３では、機内（集積部１１１〜１１５内）に他人の端数紙幣が残っている場合、帯封・返却モード、及び帯封・残置モードを利用することができない。従って、集積部１１１〜１１５に残置されている他人の端数紙幣と、自身の投入紙幣とが集積部１１１〜１１５内で混合することがない。そのため、紙幣の管理責任を明確にすることができる。
【００７３】
表４は、一般テラーであるオペレータＡと、出納権限のあるオペレータＢとが紙幣処理装置１０を共用する場合における、紙幣処理モードの利用可否設定のさらに別のパターンを示している。
【表４】
2014002587.tif 000006
【００７４】
パターン４では、オペレータＡ、Ｂはともに、計数モード及び帯封・返却モードを利用することができ、帯封・残置モードは利用することができない。制御部１２は、入力部（操作表示部１１）に入力されたオペレータの識別情報や、集積部（第１集積部）１１１〜１１５の端数紙幣が残存有無にかかわらず、取り込まれた紙幣を集積部（第１集積部）１１１〜１１５へ搬送することを許可する。そして、制御部１２は、紙幣の識別結果により、集積部（第１集積部）１１１〜１１５、外部スタッカ（第２集積部）１２１及び１２２、リジェクト部１０６のいずれかへ紙幣を搬送するよう搬送部１０４を制御する。さらに、制御部１２は、今回の処理の終了時に、集積部（第１集積部）１１１〜１１５に端数紙幣がある場合は端数紙幣除去処理を実行する。制御部１２は、端数紙幣除去処理として、集積部（第１集積部）１１１〜１１５の端数紙幣を端数紙幣返却部１３０に搬送するよう搬送部３００を制御する。
【００７５】
オペレータＡが計数モード又は帯封・返却モードで紙幣処理を行う場合、制御部１２は、投入された紙幣の計数結果と、オペレータＡのＩＤ情報とを、管理部２０へ送信する。管理部２０は、紙幣処理装置１０から受信した計数結果をオペレータＡの在高に加算する。外部スタッカ１２１、１２２へ搬送された紙幣、紙幣結束部２００で結束されて投出された紙幣、端数紙幣返却部１３０から返却された紙幣はオペレータＡ自身が管理する。
【００７６】
オペレータＢが計数モード又は帯封・返却モードで紙幣処理を行う場合、制御部１２は、投入された紙幣の計数結果と、オペレータＢのＩＤ情報とを、管理部２０へ送信する。管理部２０は、紙幣処理装置１０から受信した計数結果をオペレータＢの在高に加算する。外部スタッカ１２１、１２２へ搬送された紙幣、及び紙幣結束部２００で結束されて投出された紙幣、端数紙幣返却部１３０から返却された紙幣はオペレータＢ自身が管理する。
【００７７】
パターン４では、帯封・残置モードでの紙幣処理が行われないため、機内（集積部１１１〜１１５内）に端数紙幣が残らない。従って、他のオペレータによる投入紙幣と、自身の投入紙幣とが集積部１１１〜１１５内で混合することがない。そのため、紙幣の管理責任を明確にすることができる。
【００７８】
上述したパターン１〜４のモード設定を予め紙幣処理装置１０に準備しておき、紙幣処理装置１０の利用者が状況に合わせてパターンを選択することができる。また、一般テラーであるオペレータＡと、出納権限のあるオペレータＢの情報を登録することができる。例えば、紙幣処理装置１０がパターン１で運用されている状態で、オペレータＡが自身のＩＤ情報を入力すると、計数モードのみが利用できるようになる。また、例えば、紙幣処理装置１０がパターン４で運用されている状態で、オペレータＢが自身のＩＤ情報を入力すると、計数モード及び帯封・返却モードのみが利用できるようになる。
【００７９】
上述したパターン１〜４では、各オペレータの投入紙幣が機内で混合することを防止できるため、処理された紙幣の管理責任を明確にすることができる。また、パターン４では、各オペレータが紙幣の結束処理を行うことができる。パターン３では、一人のオペレータは、機内に端数紙幣を残しながら紙幣処理を行うことができるため、パターン４よりも紙幣処理を効率良く行うことができる。パターン１、２では、出納権限のあるオペレータＢが機内に端数紙幣を残しながら紙幣処理を行うことができるため、パターン４よりも紙幣処理を効率良く行うことができる。
【００８０】
このように、本実施形態によれば、複数のオペレータによる紙幣処理装置１０の使用時に、処理された紙幣の管理責任を明確にするとともに、紙幣処理を効率良く行うことができる。
【００８１】
（第２の実施形態）上記第１の実施形態では、端数紙幣が残置されているか否かなどの条件に基づいて、オペレータＡ、Ｂが利用できる紙幣処理モードを限定していたが、オペレータＡ、Ｂの両方が端数紙幣の有無にかかわらず帯封・残置モードを利用することで、端数紙幣の返却を行う必要がなくなり、紙幣処理の効率をさらに向上させることができる。
【００８２】
ただし、この場合、集積部１１１〜１１５内で、残置されているオペレータＡ（又はＢ）の端数紙幣と、オペレータＢ（又はＡ）の投入紙幣とが混合される。その結果、結束紙幣にオペレータＡの投入紙幣とオペレータＢの投入紙幣とが混在し、オペレータＡ又はＢが結束紙幣を手元に管理する際に、管理部２０で管理しているオペレータＡ、Ｂの在高と、オペレータＡ、Ｂが管理責任を有する紙幣の金額とを一致させることが困難になる。
【００８３】
本実施形態は、このような紙幣管理を行う場合において、管理部２０で管理しているオペレータＡ、Ｂの在高と、オペレータＡ、Ｂが管理責任を有する紙幣の金額とを一致させるものである。
【００８４】
以下に、在高管理方法の一例について説明する。ここでは、図３に示す第１紙幣処理と、図４に示す第２紙幣処理が連続して行われた場合の在高管理方法について説明する。
【００８５】
図３に示すように、第１紙幣処理では、機内に端数紙幣が残置されていない状態で、オペレータＡが１５０ドル分の紙幣を投入する。そして、１０ドル分の紙幣が外部スタッカ１２１、１２２に搬送され、１００ドル分の紙幣が紙幣結束部２００で結束されて投出され、４０ドル分の紙幣が端数紙幣として機内（集積部１１１〜１１５内）に残置される。外部スタッカ１２１、１２２に搬送された１０ドルと、投出された１００ドルの紙幣束は、オペレータＡが管理する。
【００８６】
次に、図４に示すように、第２紙幣処理では、オペレータＢが８０ドル分の紙幣を投入する。そして、２０ドル分の紙幣が外部スタッカ１２１、１２２に搬送され、６０ドル分の紙幣と、機内に残置されていたオペレータＡの４０ドル分の紙幣とが混合されて紙幣結束部２００で結束され、１００ドル分の結束紙幣として投出される。外部スタッカ１２１、１２２に搬送された２０ドルと、投出された１００ドルの紙幣束は、オペレータＢが管理する。
【００８７】
第１紙幣処理の後、紙幣処理装置１０は、オペレータＡに投入された紙幣の計数結果（１５０ドル）、外部スタッカ１２１、１２２に搬送された紙幣の計数結果（１０ドル）、紙幣結束部２００で結束された紙幣の計数結果（１００ドル）、機内に残置された端数紙幣の計数結果（４０ドル）を管理部２０に通知する。ここで、計数結果は金額でもよいし、金種別枚数でもよいし、金額及び金種別枚数でもよい。管理部２０は、紙幣処理装置１０から受信した計数結果に基づいて、オペレータＡの在高に１５０ドルを加算する。
【００８８】
第２紙幣処理の後、紙幣処理装置１０は、オペレータＢに投入された紙幣の計数結果（８０ドル）、外部スタッカ１２１、１２２に搬送された紙幣の計数結果（２０ドル）、紙幣結束部２００で結束された紙幣の計数結果（１００ドル）、機内に残置された端数紙幣の計数結果（０ドル）を管理部２０に通知する。管理部２０は、紙幣処理装置１０から計数結果を受信し、外部スタッカ１２１、１２２に搬送された紙幣の計数結果及び紙幣結束部２００で結束された紙幣の計数結果に基づいて、オペレータＢの在高に１２０ドルを加算する。さらに、管理部２０は、オペレータＡの在高から４０ドルを減算する。この４０ドルは、第２紙幣処理により投出されオペレータＢが管理する結束紙幣に含まれるオペレータＡの投入紙幣に相当する。管理部２０は、オペレータＡの在高から減算する４０ドルを、オペレータＢに投入された紙幣の計数結果（８０ドル）及び機内に残置された端数紙幣の計数結果（０ドル）と、外部スタッカ１２１、１２２に搬送された紙幣の計数結果（２０ドル）及び紙幣結束部２００で結束された紙幣の計数結果（１００ドル）との差分から求めることができる。
【００８９】
このように、管理部２０は、複数のオペレータの在高を管理し、集積部（第１集積部）１１１〜１１５、外部スタッカ（第２集積部）１２１及び１２２に集積された紙幣の計数結果を用いて、オペレータの在高を更新するものである。さらに、管理部２０は、入力部（操作表示部１１）に入力されたオペレータの識別情報がオペレータＡ（第１オペレータ）を示す場合、集積部（第１集積部）１１１〜１１５や外部スタッカ（第２集積部）１２１及び１２２に集積された紙幣のうち、所定条件を満たす紙幣の計数結果をオペレータＢ（第２オペレータ）の在高に加算し、所定条件を満たさない紙幣の計数結果をオペレータＡ（第１オペレータ）の在高に加算するものである。ここで、所定条件を満たす紙幣は、第１集積部に集積された紙幣のうち、結束部２００により結束された紙幣とすることができる。具体的には、一方のオペレータ（例えばオペレータＡ）が機内に残置した端数紙幣が、他方のオペレータ（例えばオペレータＢ）の紙幣処理により結束して投出された場合に、結束紙幣の金額（又は金種別枚数）を他方のオペレータ（オペレータＢ）の在高に加算し、この結束紙幣に含まれる端数紙幣の金額（又は金種別枚数）を、一方のオペレータ（オペレータＡ）の在高から減算することで、管理部２０で管理しているオペレータＡ、Ｂの在高と、オペレータＡ、Ｂが管理する紙幣の金額とを一致させることができる。
【００９０】
このように、本実施形態によれば、複数のオペレータによる紙幣処理装置１０の使用時に、管理部２０で管理しているオペレータＡ、Ｂの在高と、オペレータＡ、Ｂが管理する紙幣の金額とを一致させて紙幣の管理責任を明確にするとともに、オペレータＡ、Ｂが帯封・残置モードを利用することで、端数紙幣の返却を行うことなく、紙幣処理を効率良く行うことができる。
【００９１】
（第３の実施形態）上記第２の実施形態では、オペレータＡが機内に残置した端数紙幣は、オペレータＡの在高に加算され、この端数紙幣がオペレータＢの紙幣処理により結束して投出された場合に、結束紙幣に含まれる端数紙幣の金額（又は金種別枚数）を、オペレータＡの在高から減算していた。これに対し、本実施形態では、機内に残置される端数紙幣については全てオペレータＢの在高に加算する。オペレータＢは出納権限のあるオペレータであり、例えば紙幣処理装置１０のエラー停止時などに、紙幣処理装置１０の扉を開けて、集積部１１１〜１１５内の紙幣にアクセスする権限を有する。そのため、機内に残置される端数紙幣については、出納権限のあるオペレータＢの在高に加算することが好ましい。
【００９２】
図３に示す第１紙幣処理と、図４に示す第２紙幣処理が連続して行われた場合の、本実施形態による在高管理方法について説明する。
【００９３】
第１紙幣処理の後、紙幣処理装置１０は、オペレータＡに投入された紙幣の計数結果（１５０ドル）、外部スタッカ１２１、１２２に搬送された紙幣の計数結果（１０ドル）、紙幣結束部２００で結束された紙幣の計数結果（１００ドル）、機内に残置された端数紙幣の計数結果（４０ドル）を管理部２０に通知する。管理部２０は、紙幣処理装置１０から受信した計数結果に基づいて、オペレータＡの在高に１１０ドルを加算し、オペレータＢの在高に４０ドルを加算する。
【００９４】
続いて、第２紙幣処理の後、紙幣処理装置１０は、オペレータＢに投入された紙幣の計数結果（８０ドル）、外部スタッカ１２１、１２２に搬送された紙幣の計数結果（２０ドル）、紙幣結束部２００で結束された紙幣の計数結果（１００ドル）、機内に残置された端数紙幣の計数結果（０ドル）を管理部２０に通知する。管理部２０は、紙幣処理装置１０から計数結果を受信し、オペレータＢの在高に８０ドルを加算する。オペレータＢの手元で管理される紙幣は１２０ドル増えるが、このうち４０ドルは、第１紙幣処理後に既にオペレータＢの在高に加算されている。このように、管理部２０は、集積部（第１集積部）１１１〜１１５に集積された紙幣のうち、結束部２００により結束されず、集積部（第１集積部）１１１〜１１５に残存している紙幣の計数結果をオペレータＢ（第２オペレータ）の在高に加算するものである。
【００９５】
なお、第２紙幣処理もオペレータＡによる処理であった場合は、第２紙幣処理の後、管理部２０は、紙幣処理装置１０から計数結果を受信し、オペレータＡの在高に１２０ドルを加算し、オペレータＢの在高から４０ドルを減算するようにしても良い。
【００９６】
（第４の実施形態）上記第３の実施形態では、機内に残置される端数紙幣については、出納権限のあるオペレータＢの在高に加算していたが、機内に残置される端数紙幣だけでなく、結束して投出される紙幣についてもオペレータＢの在高に加算するようにしてもよい。
【００９７】
図３に示す第１紙幣処理と、図４に示す第２紙幣処理が連続して行われた場合の、本実施形態による在高管理方法について説明する。
【００９８】
図３に示すように、第１紙幣処理により、１０ドル分の紙幣が外部スタッカ１２１、１２２に搬送され、１００ドル分の紙幣が紙幣結束部２００で結束されて投出され、４０ドル分の紙幣が端数紙幣として機内に残置される。オペレータＡは外部スタッカ１２１、１２２に搬送された１０ドルを手元で管理し、投出された１００ドルの紙幣束はオペレータＢにより管理される。
【００９９】
第１紙幣処理の後、紙幣処理装置１０は、オペレータＡに投入された紙幣の計数結果（１５０ドル）、外部スタッカ１２１、１２２に搬送された紙幣の計数結果（１０ドル）、紙幣結束部２００で結束された紙幣の計数結果（１００ドル）、機内に残置された端数紙幣の計数結果（４０ドル）を管理部２０に通知する。管理部２０は、紙幣処理装置１０から受信した計数結果に基づいて、オペレータＡの在高に１０ドルを加算し、オペレータＢの在高に１４０ドルを加算する。
【０１００】
次に、図４に示すように、第２紙幣処理により、オペレータＢが８０ドル分の紙幣を投入する。そして、２０ドル分の紙幣が外部スタッカ１２１、１２２に搬送され、オペレータＢが投入した６０ドル分の紙幣と、機内に残置されていたオペレータＡの４０ドル分の紙幣とが合わされて紙幣結束部２００で結束され、１００ドル分の結束紙幣として投出される。外部スタッカ１２１、１２２に搬送された２０ドルと、投出された１００ドルの紙幣束は、オペレータＢが管理する。
【０１０１】
第２紙幣処理の後、紙幣処理装置１０は、オペレータＢに投入された紙幣の計数結果（８０ドル）、外部スタッカ１２１、１２２に搬送された紙幣の計数結果（２０ドル）、紙幣結束部２００で結束された紙幣の計数結果（１００ドル）、機内に残置された端数紙幣の計数結果（０ドル）を管理部２０に通知する。管理部２０は、紙幣処理装置１０から計数結果を受信し、オペレータＢの在高に８０ドルを加算する。オペレータＢの手元で管理される紙幣は１２０ドル増えるが、このうち４０ドルは、第１紙幣処理後に既にオペレータＢの在高に加算されている。このように、管理部２０は、集積部（第１集積部）１１１〜１１５に集積された紙幣のうち、結束部２００により結束された紙幣の計数結果をオペレータＢ（第２オペレータ）の在高に加算するものである。
【０１０２】
（第５の実施形態）上記第３、第４の実施形態では、オペレータＡによる紙幣処理に伴い、オペレータＢの在高が更新される。そのため、図５に示すように、出力部３０を設け、オペレータＡによる紙幣処理に伴いオペレータＢの在高が更新されたことをオペレータＢに報知するようにしてもよい。出力部３０は、例えば、オペレータＢに割り当てられた端末のディスプレイに在高更新情報を表示させるものである。この端末は、紙幣処理装置１０及び管理部２０と通信可能に接続されたオペレータ端末であり、管理部２０はオペレータＢの在高に加算される紙幣の情報を、オペレータＢの端末にデータとして出力する。また、出力部３０は、紙幣処理装置１０の操作表示部１１としてもよい。その他、音声、光、文字、画像による情報など、オペレータＢの在高に加算される紙幣の情報をオペレータＢに報知するあらゆる態様とすることができる。在高更新情報は、単に在高が更新されたことを示すだけのものでもよいし、在高更新内容（更新された金額や金種別枚数）を示すものでもよい。
【０１０３】
さらに、図６に示すように、第２オペレータから在高更新の承認を受け付ける承認受付部４０を設けてもよい。例えば、上記第４の実施形態では、オペレータＡによる紙幣処理に伴い投出された結束紙幣が、オペレータＢの在高に加算される。オペレータＢは、投出された結束紙幣が、出力部３０により出力された在高更新情報と一致する場合は、承認受付部４０を介して在高更新を承認する。承認受付部４０は、管理部２０を有するコンピュータに設けられていてもよいし、出力部３０を有するオペレータ端末に設けられていてもよい。
【０１０４】
上記第１〜第５の実施形態では、オペレータＡ、Ｂが紙幣処理装置１０を使用する場合について説明したが、３人以上のオペレータにより紙幣処理装置１０を共同使用してもよい。例えば、出納権限のあるオペレータＢと、一般テラーであるオペレータＡ、Ｃ、Ｄにより紙幣処理装置１０を共同使用することができる。オペレータＣ、Ｄの紙幣処理モードの利用可否の設定や、在高管理については、オペレータＡと同様である。
【０１０５】
また、管理部（管理装置）２０を紙幣処理装置１０とは別個に設け、紙幣処理装置１０と通信可能に接続されるものとしたが、管理部２０を紙幣処理装置１０に組み込んだ一体の装置としてもよい。
【０１０６】
また、入力部は、紙幣処理装置１０の操作表示部１１とする以外に、管理装置２０に設けたり、図示しないオペレータ端末に設けたりしてもよい。
【０１０７】
また、第１集積部（集積部１１１〜１１５）は必ずしも複数個設ける必要はなく、第１集積部を１つのみ設けた簡易な装置構成としてもよい。
【０１０８】
また、紙幣を結束する態様は、集積部１１１〜１１５に集積された紙幣を搬送部３００で搬送し、紙幣結束部２００で結束するものとしたが、集積部１１１〜１１５に集積された状態で紙幣を結束し、結束された紙幣を搬送して外部に排出するようにしてもよい。
【０１０９】
また、端数紙幣除去処理は、集積部１１１〜１１５に集積された紙幣のうち、結束枚数に達しなかった端数紙幣を返却できる端数紙幣返却部１３０を設け、端数紙幣を搬送部３００により端数紙幣返却部１３０の返却トレイ１３１へ搬送する処理としたが、集積部１１１〜１１５を外部からアクセス可能な構成とし、端数紙幣を手で取り出すようにオペレータに報知する処理としてもよい。この場合、出力部３０を用いてオペレータに報知することができる。
【０１１０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【０１１１】
１０  紙幣処理装置
１１  操作表示部
１２  制御部
２０  管理部
３０  出力部
４０  承認受付部
１０４  搬送部
１０５  識別部
１１１〜１１５  集積部
１３０  端数紙幣返却部
２００  紙幣結束部
３００  搬送部
【図１】
2014002587.tif 000007
【図２】
2014002587.tif 000008
【図３】
2014002587.tif 000009
【図４】
2014002587.tif 000010
【図５】
2014002587.tif 000011
【図６】
2014002587.tif 000012